(57)【要約】【課題】既存の機器プラグにわざわざＩＣタグを内蔵させる必要が無く、ＩＣタグを用いたシステムをより効率的に実施可能とする。【解決手段】本ＩＣタグ・アダプタは、機器プラグのプラグ刃の差込が可能なプラグ刃差込口と、情報の書き込みが可能なＩＣタグと、機器プラグのプラグ刃に対応した形状を備えて電源タップのプラグ刃差込口に差し込み可能なアダプタ刃と、を有する。電源タップ装置は、このＩＣタグ・アダプタと電源タップとを含み、電源タップは、ＩＣタグ・アダプタのプラグ刃差込口と、ＩＣタグ・リーダーと、を含み、ＩＣタグ・アダプタのプラグ刃差込口に機器プラグのプラグ刃が装着された状態で、当該電源タップのプラグ刃差込口にＩＣタグ・アダプタのアダプタ刃が差し込まれているとき、ＩＣタグ・リーダーにより、ＩＣタグ・アダプタのＩＣタグに書き込まれている情報を読み取ることができるようになっている。【選択図】図１
2011008498.tif 000002
【特許請求の範囲】
【請求項１】
機器プラグのプラグ刃差込口と、
上記プラグ刃差込口と電気的に導通しかつ電源タップのプラグ刃差込口に差し込み可能なアダプタ刃と、
情報の書き込みが可能なＩＣタグと、
を有したことを特徴とするＩＣタグ・アダプタ。
【請求項２】
上記ＩＣタグはＩＣタグライタにより情報の書き換えが可能になっている、ことを特徴とする請求項１に記載のＩＣタグ・アダプタ。
【請求項３】
ＩＣタグ・アダプタと、
電源タップと、を含み、
ＩＣタグ・アダプタは、請求項１または２に記載のＩＣタグ・アダプタであり、
電源タップは、プラグ刃差込口と、ＩＣタグ・リーダーと、を含み、当該電源タップのプラグ刃差込口にＩＣタグ・アダプタのアダプタ刃が差し込まれると、そのＩＣタグ・リーダーは、ＩＣタグ・アダプタのＩＣタグに書き込まれている情報を読み取ることが可能となっている、ことを特徴とする電源タップ装置。
【発明の詳細な説明】
【技術分野】
【０００１】
本発明は、ＩＣタグ・アダプタ、および電源タップ装置に関するものである。
【背景技術】
【０００２】
従来から、宅外より例えば携帯通信端末を使ってあるいは宅内設置のパーソナル・コンピュータを使って、ファン、ヒーター、エアコン、冷蔵庫、電子レンジ、テレビ等の家電機器の状態を遠隔制御することができるようにしたシステムが知られている（例えば、特許文献１、２）。このようなシステムでは、配線等の工事が必要であったり、プログラム等の設定等が必要となり、大変煩わしい手間がかかる、等の理由から一般に普及されていないのが現状である。そこで本願出願人は、配線や制御のためのソフトウエアの設定等の煩雑な作業や手間を要せず、電源タップに接続された機器の状態を遠隔制御するシステムを検討している。この検討の過程で、電源コンセント側に送出される識別情報を記憶させたＩＣタグ（ＩＤタグ）を内蔵させた電源プラグを開示した特許文献３を発見した。
【先行技術文献】
【特許文献】
【０００３】
【特許文献１】特開２００４−２１５１３１
【特許文献２】特開２００４−２１４９３７
【特許文献３】特開２００８−２７００７５
【発明の概要】
【発明が解決しようとする課題】
【０００４】
しかしながら、特許文献３に開示したプラグではＩＣタグを個別に内蔵させる必要があり、現実では既存のプラグに内蔵させることは困難である。
【０００５】
したがって、本発明により解決すべき課題は、既存の機器プラグにわざわざＩＣタグを内蔵させる必要性を無くし、上記のようなシステムをより効率的に実施できるようにすることである。
【課題を解決するための手段】
【０００６】
本発明によるＩＣタグ・アダプタは、機器プラグのプラグ刃差込口と、上記プラグ刃差込口と電気的に導通しかつ電源タップのプラグ刃差込口に差し込み可能なアダプタ刃と、情報の書き込みが可能なＩＣタグと、を有したことを特徴とするものである。
【０００７】
上記ＩＣタグはＩＣタグライタにより情報の書き換えが可能になっていることが好ましい。
【０００８】
本発明による電源タップ装置は、ＩＣタグ・アダプタと、電源タップとを含み、ＩＣタグ・アダプタは、機器プラグのプラグ刃差込口と、上記プラグ刃差込口と電気的に導通しかつ電源タップのプラグ刃差込口に差し込み可能なアダプタ刃と、情報の書き込みが可能なＩＣタグと、を有し、また、電源タップは、プラグ刃差込口と、ＩＣタグ・リーダーと、を含み、電源タップのプラグ刃差込口にＩＣタグ・アダプタのアダプタ刃が差し込まれると、上記ＩＣタグ・リーダーにより、ＩＣタグ・アダプタのＩＣタグに書き込まれている情報が読み取り可能となっている、ことを特徴とするものである。
【０００９】
以上から本発明では、ＩＣタグ・アダプタのプラグ刃差込口に機器プラグのプラグ刃が装着された状態で、当該電源タップのプラグ刃差込口にＩＣタグ・アダプタのアダプタ刃が差し込まれると、ＩＣタグ・リーダーにより、ＩＣタグ・アダプタのＩＣタグに書き込まれている情報を読み取ることができる。
【００１０】
そのため、機器プラグと電源タップと、これらの間でＩＣタグとＩＣタグリーダーとを備えたシステムにおいては、既存の機器プラグにわざわざＩＣタグを内蔵させる必要が無くなり、当該システムをより効率的に実施することができるようになる。
【発明の効果】
【００１１】
本発明によれば、既存の機器プラグにわざわざＩＣタグを内蔵させる必要が無く、ＩＣタグを用いたシステムをより効率的に実施できる。
【図面の簡単な説明】
【００１２】
【図１】図１は本発明の実施の形態にかかる電源タップ装置の概略構成を示す図である。
【図２】図２は図１の要部を拡大して示す図である。
【図３】図３はＩＣタグ・アダプタの構成を拡大して示す図である。
【図４】図４は他の電源タップ装置の構成を示す図である。
【図５】図５はＩＣタグ・システムの構成を示す図である。
【発明を実施するための形態】
【００１３】
以下、添付した図面を参照して、本発明の実施の形態に係るＩＣタグ・アダプタ、および電源タップ装置を説明する。図１は電源タップ装置の概略構成を示し、図２は図１の要部を拡大して示し、図３はＩＣタグ・アダプタの構成を拡大して示す。これらの図を参照して、１は機器であり、３は機器プラグ、５は、ＩＣタグ・アダプタ、７は、電源タップ、９はプログラマブル・コントローラ、１１は壁コンセントである。ＩＣタグ・アダプタ５と電源タップ７とにより電源タップ装置１３を構成する。
【００１４】
上記各機器１は例えばエアコン、ファンヒータ、テレビ、パソコン、等の機器である。これら機器１はいずれも機器プラグ３を一体に具備している。機器プラグ３の形態は種々あるが、いずれの形態も含むことができる。機器プラグ３は、先端に２つ一対のプラグ刃３ａを具備する。
【００１５】
ＩＣタグ・アダプタ５は、いずれも、機器プラグ３のプラグ刃３ａの差込が可能な２つ一対のプラグ刃差込口５ａと、機器プラグ３のプラグ刃３ａに対応した形状を備えて電源タップ７のプラグ刃差込口７ａに差し込み可能な２つ一対のアダプタ刃５ｂとを具備すると共に、内部には情報の書き込みが可能なＩＣタグ５ｃを備えた構成になっている。
【００１６】
ＩＣタグ・アダプタ５において、さらに、プラグ刃差込口５ａの内壁は導電材で構成され、このプラグ刃差込口５ａに差し込まれた機器プラグ３のプラグ刃３ａはこのプラグ刃差込口５ａ内壁の導電材に導電接触することができる。また、プラグ刃差込口５ａ内壁とアダプタ刃５ｂとは例えば電気配線５ｄで接続されている。プラグ刃差込口５ａ内壁とアダプタ刃５ｂとの電気的接続の形態は特に限定しない。こうしてプラグ刃差込口５ａに差し込まれた機器プラグ３のプラグ刃３ａはアダプタ刃５ｂに導通接続されることとなる。
【００１７】
ＩＣタグ・アダプタ５に内蔵されたＩＣタグ５ｃは、電子タグ、無線タグ、無線ＩＣタグ、ＲＦタグ、電子荷札、電子値札等の名称で呼称されるが、名称に限定されない。このＩＣタグ５ｃは、電池内蔵型のアクティブタグであってもよいが、ＩＣタグ・リーダーから電波を受信し、その受信した電波から起電力を生成するパッシブタグが好ましい。このパッシブタグでは通信距離が短くなり、隣接するＩＣタグとＩＣタグ・リーダーとの間の電波の影響を受けなくて済むうえに安価で長期使用には好ましい。
【００１８】
電源タップ７は、２つ一対のプラグ刃差込口７ａを複数対有する。これら各プラグ刃差込口４ａには、ＩＣタグ・アダプタ５のアダプタ刃５ｂあるいは機器プラグ３のプラグ刃３ａが差し込みが可能である。したがって機器プラグ３は、そのプラグ刃３ａをＩＣタグ・アダプタ５のプラグ刃差込口５ａに差し込んで電源タップ７に間接に接続することができ、また、電源タップ７のプラグ刃差込口７ａに差し込んで電源タップ７に直接に接続することができる。その接続はユーザにより任意に選択されることができる。なお、電源タップ７は、周知のように、プラグ７ｅを有し、このプラグ７ｅが壁コンセント１１に差し込まれることで、電源の供給を受けるようになっている。
【００１９】
電源タップ７は、内部に、各プラグ刃差込口７ａそれぞれに個別対応してＩＣタグ・リーダー７ｂが設けられている。電源タップ７はさらに、内部に、各ＩＣタグ・リーダー７ｂ出力を無線通信データの形態に処理する無線通信部７ｃを有すると共に、外部に、無線通信部７ｃ出力を送信する無線アンテナ７ｄが配備されている。
【００２０】
電源タップ７の各プラグ刃差込口７ａにＩＣタグ・アダプタ５のプラグ刃５ｂが差し込まれている状態では、ＩＣタグ・アダプタ５内のＩＣタグ５ｃは、電源タップ７内のＩＣタグ・リーダー７ｂから電力を得て、内部記憶情報をＩＣタグ・リーダー７ｂに無線電波で送信する。この場合、図３の仮想線矢印１４で示すようにＩＣタグ５ｃとＩＣタグ・リーダー７ｂとは各プラグ差込口７ａごとに１対１の関係で対向する同士で対応し、隣接するＩＣタグ５ｃ、ＩＣタグ・リーダー７ｂとは対応しない。
【００２１】
こうして各プラグ差込口７ａ近傍それぞれに配置のＩＣタグ・リーダー７ｂは、各ＩＣタグ・アダプタ５のＩＣタグ５ｃからの送信電波から当該ＩＣタグ５ｃに書き込まれている情報を読み取って、無線通信部７ｃに出力する。無線通信部７ｃは、各ＩＣタグ・リーダー７ｂが読み取った情報を無線通信できる形態に処理したうえで、無線アンテナ７ｄに出力する。無線アンテナ７ｄはこの情報をプログラマブル・コントローラ９の無線アンテナ９ａに送信する。このようにＩＣタグ・アダプタ５内のＩＣタグ５ｃと、電源タップ７内のＩＣタグ・リーダー７ｂとはＩＣタグ・システムを構成する。
【００２２】
プログラマブル・コントローラ９は、無線アンテナ９ａにより上記情報を受信すると共に、この受信した情報に従い、各機器１を制御することができるようになっている。この制御の形態として、プログラマブル・コントローラ９は、ＩＣタグ情報から電源タップ７に接続してある機器を特定し、当該機器を制御することができる。
【００２３】
図４は壁コンセント１５にＩＣタグ・リーダー１５ａを設け、この壁コンセント１５にＩＣタグ・アダプタ５を差し込むことでもよい。この場合、壁コンセント１５に無線アンテナ１５ｂを設け、ＩＣタグ・アダプタ５のＩＣタグ５ｃと壁コンセント１５のＩＣタグ・リーダー１５ａとの通信データをプログラマブル・コントローラ９に送信できるようにしてもよい。
【００２４】
図５はＩＣタグ・システムの概略構成を示す。実施の形態でのＩＣタグ・システムは、ＩＣタグ・アダプタ５内のＩＣタグ５ｃと、電源タップ７内のＩＣタグ・リーダー７ｂとで構成した。この場合、ＩＣタグ５ｃは、詳細図示は略するが、基板上にアンテナコイルと、半導体チップとを具備し、この半導体チップに、書き込み情報の記憶部や、無線通信のコントローラ、等を含む。そして図５で示すように、電源タップ７にはＩＣタグ・リーダー／ライター７ｃを配置する。このＩＣタグ・リーダー／ライター７ｃは、電波送受信部７ｃ１とコントローラ７ｃ２とを含む。ＩＣタグ・アダプタ５内のＩＣタグ５ｃに対して、パーソナル・コンピュータ１７からＩＣタグ・リーダー／ライター７ｃに書き込み情報を入力すると、ＩＣタグ・リーダー／ライター７ｃはＩＣタグ５ｃに対して情報を書き込む。もちろん、電源タップ７ではなく、ＩＣタグ・ライターでＩＣタグ５ｃに情報を書き込んでもよい。
【００２５】
以上説明したように本実施の形態による電源タップ装置１３は、ＩＣタグ・アダプタ５と電源タップ７とを含み、ＩＣタグ・アダプタ５のプラグ刃差込口５ａに機器プラグ３のプラグ刃３ａが装着された状態で、当該電源タップ７のプラグ刃差込口７ａにＩＣタグ・アダプタ５のアダプタ刃５ｂが差し込まれているとき、ＩＣタグ・リーダー７ｂにより、ＩＣタグ・アダプタ５のＩＣタグ５ｃに書き込まれている情報を読み取ることができるようにしたので、既存の機器プラグ３にわざわざＩＣタグを内蔵させる必要が無くなり、ＩＣタグを用いたシステムをより効率的に実施できるようにすることができる。
【符号の説明】
【００２６】
１  機器
３  機器プラグ
５  ＩＣタグ・アダプタ
５ａ  プラグ刃差込口
５ｂ  アダプタ刃
５ｃ  ＩＣタグ
７  電源タップ
７ａ  プラグ刃差込口
７ｂ  ＩＣタグ・リーダー
【図１】
2011008498.tif 000003
【図２】
2011008498.tif 000004
【図３】
2011008498.tif 000005
【図４】
2011008498.tif 000006
【図５】
2011008498.tif 000007